(57)【要約】      （修正有）【課題】足骨変形、特に外反母趾を有するような人が着用することのできるアウトドアシューズを提供する。【解決手段】先裏と表面素材３とを備えたアウトドアシューズ１、特に登山靴またはトレッキングシューズに関するものである。先裏が第１素材と第２素材とを有すると共に、第２素材が少なくとも中足指節関節位置６の領域に配置されており、第２素材が第１素材よりも大きい伸張性を有する。【選択図】図３
2015164519.tif 000002
【特許請求の範囲】
【請求項１】
先裏（２）と表面素材（３）とを備えたアウトドアシューズ（１）、特に登山靴またはトレッキングシューズであって、
前記先裏（２）が第１素材（４）と第２素材（５）とを有し、前記第２素材（５）が少なくとも中足指節関節位置（６）の領域に配置されており、前記第２素材（５）が前記第１素材（４）よりも大きな伸縮性を有することを特徴とする、アウトドアシューズ。
【請求項２】
前記中足指節関節位置（６）の領域の前記表面素材（３）には縫目が無いことを特徴とする、請求項１に記載のアウトドアシューズ。
【請求項３】
前記第１素材（４）は、水不透過性および蒸気拡散開放性の膜組織であることを特徴とする、請求項１または２に記載のアウトドアシューズ。
【請求項４】
前記第２素材（５）は、水不透過性および蒸気拡散開放性の膜組織であることを特徴とする、請求項１〜３のいずれか一項に記載のアウトドアシューズ。
【請求項５】
前記第２素材（５）は、前記第１素材（４）よりも小さい摩擦抵抗を有することを特徴とする、請求項１〜４のいずれか一項に記載のアウトドアシューズ。
【請求項６】
前記第２素材（５）は、前記表面素材（３）に対して移動可能であることを特徴とする、請求項１〜５のいずれか一項に記載のアウトドアシューズ。
【請求項７】
前記第１素材（４）は、前記表面素材（３）に対して移動可能であることを特徴とする、請求項１〜６のいずれか一項に記載のアウトドアシューズ。
【請求項８】
前記第１素材（４）に前記第２素材（５）が縫い付けられていることを特徴とする、請求項１〜７のいずれか一項に記載のアウトドアシューズ。
【発明の詳細な説明】
【技術分野】
【０００１】
本発明は、先裏（注：靴の前部の爪革の裏に用いる材料）と表面素材とを備えたアウトドアシューズ、特に登山靴またはトレッキングシューズに関する。このような靴は、とりわけ山岳スポーツ、極地探検旅行または砂漠探検旅行、トレッキング、あるいはハイキングでも使用することができる。
【背景技術】
【０００２】
野外を移動する活動、特に山を歩き回ることに熱中する人が増えている。このとき、滑らずにしっかりとした足取りで、そして負傷の恐れなく前に進むために、適切な靴が不可欠である。したがって、いくつかの例を挙げただけでも、くるぶしの上まで延びるトレッキングシューズ、田舎風の輪郭を有する短靴、防水靴、軽量で通気性の良い靴、または極圏探検用の特殊靴など多数のアウトドアシューズがある。
【０００３】
しかし全般的な問題は、人には一つとして同じ足がなく、とりわけ（足の）骨変形を有する人もいるということである。このような足骨変形を有する人は、従来の靴を簡単には使用することができないか、または使用すべきでない。このような人のグループについては、例えば、インソールの使用や他の整形外科技術による処置によって市販のアウトドアシューズを適合させることもある程度は可能である。しかしながら、足骨変形の種類や深刻さによっては、既成靴をやめるか、または特殊な整形外科靴を使用することが必要になるかもしれない。しかし、そのような靴の購入価格は非常に高く、例えば溝付け（足の形に合わせること）が十分でないために、場合によってはアウトドアシューズとしての使用目的に適さない。
【０００４】
さらに、時間が経過するうちに個々の足骨変形が変化、特に、悪化するかもしれず、それによって靴の適合し直し、または買い替えさえも必要となる。
【０００５】
この関連で、とりわけ、ハルックス・バルガス、即ち外反母趾（又は内反小趾）として知られる足骨変形が問題となる。この病気では、足の親指が歪み、中足指節関節が足の外側縁の方向に外へ反る。これは中足骨が足の内側縁に向かって反ることに起因する。この歪みは、時間が経つにつれ足の中足指節関節の領域の幅が大きく広がり、特定の時点から普通のアウトドアシューズを着用することができなくなるか、または着用すべきでないという程度まで進行し得る。足に合わない靴は、時として、外反母趾（又は内反小趾）の発症または悪化の原因となる。
【先行技術文献】
【特許文献】
【０００６】
【特許文献１】（特になし）
【発明の概要】
【発明が解決しようとする課題】
【０００７】
こうしたことを背景に、本発明の目的は、足骨変形、特に外反母趾（又は内反小趾）を有する人が着用することのできるアウトドアシューズを、専用の靴を大量生産することを必要とすることなく、提供することにある。
【課題を解決するための手段】
【０００８】
上記課題の解決は、請求項１の特徴により達成される。更に有利な展開形態は、従属請求項に記載されている。
【０００９】
本発明によるアウトドアシューズは、特に、先裏が第１素材と第２素材とを有し、第２素材が少なくとも中足指節関節位置に配置されており、第２素材が第１素材よりも大きい伸縮性を有することを特徴とする。換言すれば、履かれた靴に関して、すなわち、少なくとも足の親指が足の外側縁の方向に外へ反れる領域に第２素材が設けられており、この第２素材は、残余部分の先裏の、少なくとも足指（つま先）の領域に設けられた第１素材とはその伸縮性の点で異なる。したがって、第２素材によって、表面素材に向けて中足指節関節から離れる方向の先裏の伸張を可能にすることができる。
【００１０】
着用者が外反母趾（又は内反小趾）を有する場合、中足骨、もしくは中足指節間関節位置の領域における足指の骨が、第２素材を相応に伸張させることができるであろう。それによって、中足指節関節の領域に不快な圧迫感がなく、非常に良好な着用快適性が得られる。さらに、外反母趾（又は内反小趾）の程度に応じて、第２素材の伸張をより大きくしたり、小さくしたりすることが可能である。したがって、本発明に従うアウトドアシューズは、外反母趾（又は内反小趾）の程度が異なる多数の人に適合し、時間が経つにつれて外反母趾（又は内反小趾）が悪化しても、第２素材が親指の横方向の強度の反りを補償するので、同じ着用者によって引き続き使用され得る。したがって、このシューズは、例えば、外科的矯正後に病状が改善した場合にも引き続き使用することができる。
【００１１】
さらに、第２素材の伸縮性が第１素材の伸縮性よりも少なくとも５０％高いならば有利である。それによって、先裏の十分な安定性が保証されると同時に親指の横方向の強度の反りが補償される。
【００１２】
中足指節関節位置の領域の表面素材に縫目がないことは、好ましい。着用者の外反母趾にもとづく第２素材の横方向の反りが表面素材によって損なわれてはならない。アウトドアシューズには、特に皮革が使用されており、表面素材が第２素材の動きに追従することができるが、皮革だけでなく他の材料も相応の特性を有し得る。しかし、縫目は、可動性を著しく制限するだろうから、外反母趾により第２素材の伸張が起こる表面素材の領域には縫目を設けないことが有利である。それに加え、中足指節関節位置の領域において、アウトドアシューズの表面素材を例えば膨らみ（又は隆起）の形態で成形することにより、付加的な空間を作り、この空間内で横方向の拡張した伸張を可能にすることも考えられる。
【００１３】
第１素材および／または第２素材が水不透過性および蒸気拡散開放性のメンブラン（膜組織）であることは、有利である。それによって雨天や雪中でもアウトドアシューズを使用することができ、その際、アウトドアシューズに水が侵入することはなく、同時にアウトドアシューズの換気が可能であることが保証され得る。
【００１４】
さらに、第２素材は、第１素材よりも小さい摩擦抵抗を有する。このことは、アウトドアシューズを、外反母趾を有する人が着用時に痛みを感じることなくより容易に着用できるという利点を有する。さらに、それによって、歩行時に擦り傷または水泡ができる危険も低減される。なぜなら、本発明によれば、ほかならぬ第２素材が少なくとも部分的に足もしくはソックスに直接当接するからである。
【００１５】
第１素材および／または第２素材が表面素材に対して可動であることは、有利である。換言すれば、第１素材および／または第２素材が表面素材に貼り付けられたり縫い付けられたりしていないならば特に有利である。それによって、第１および／または第２素材が表面素材に対して動くことができ、外反母趾を患うアウトドアシューズ着用者の足の親指の横方向の反りの最適な補償を達成することができる。
【００１６】
第１素材に第２素材が縫い付けられていることが有利である。縫い付けることによって、第１素材と第２素材との間に永続的でロバスト（堅牢）な接合が可能になる。この接合は、特に外反母趾の程度が強度の場合に、特に酷使される。
【００１７】
当然のことながら、先裏は、例えば裾やタン（舌革）の領域において、２つよりも多い素材から構成されていてもよい。
【００１８】
以下、図面に示された実施例をもとにして本発明を詳しく説明する。図は模式的に示されている。
【図面の簡単な説明】
【００１９】
【図１】本発明によるアウトドアシューズの側面図である。
【図２】図１に示されたアウトドアシューズの正面図である。
【図３】図１に示されたアウトドアシューズの斜視図である。
【図４】本発明に従うアウトドアシューズの先裏の一部領域を示す図である。
【発明を実施するための形態】
【００２０】
図１〜図３において、くるぶしの上まで延びる登山靴もしくはトレッキングシューズの形態での本発明によるアウトドアシューズ１が示されている。アウトドアシューズ１は、皮革からなる表面素材（上面素材）３を有し、該表面素材はアウトドアシューズ１のソール９と接合されている。この実施例では、表面素材３はソール９に貼着（接着）されている。さらに、アウトドアシューズ１は、靴紐１０とタン（舌革）１１とを有し、該靴紐およびタンによって、アウトドアシューズ１が装着者の足（図示略）にしっかりと固定することができる。
【００２１】
着用者がアウトドアシューズ１を履いたとき、中足指節関節（ちゅうそくしせつかんせつ）が図１〜図３に破線で示される領域６に位置する。外反母趾（又は内反小趾）を有する着用者の場合、中足指節関節位置６と呼ばれるこの領域に、足親指もしくは中足骨の横方向の反りによって足の幅も広がっている。足の幅の広がり又は横方向の反りは、後述するように本発明により補償される。
【００２２】
このために、アウトドアシューズ１の先裏２は、本発明によると、伸縮性の点で異なる少なくとも２つの素材４、５から構成されている。先裏２の一部領域が図４に示されている。図４に示された一部領域は、本発明によるアウトドアシューズ１の先裏２の先芯（爪革）７に該当する。先芯７の先裏２は、第１素材４と第２素材５とから構成されており、第１素材４は、縫目８に沿って第２素材５と接合されている。
【００２３】
この実施例での第２素材５は、実質的に四角形の素材辺として中足指節関節位置６の領域に設けられている。本発明によると、第２素材５は、第１素材４から構成された先裏２の残りの先芯７よりも高い伸縮性を有する。この実施例では、第２素材５の伸縮性は、第１素材４の伸縮性よりも少なくとも５０％高くあることができる。
【００２４】
外反母趾（又は内反小趾）を有する着用者がアウトドアシューズ１を履いたとき、骨変形した中足指節関節は、アウトドアシューズ１の先裏２の第２素材５の領域に位置する。第２素材５は、中足指節関節の骨変形に追従することができ、図２および図３に矢印Ａで示されているように、第２素材５がアウトドアシューズ１の表面素材３の方向に引き伸ばされることによって、この骨変形を補償することを可能にする。表面素材３のこの領域には縫目がないので（図示された実施例では、縫目は中足指節関節位置６の上方に延びる）、表面素材３が伸張に追従し、外反母趾（又は内反小趾）に起因する着用者の骨変形を同時に補償することができる。第１素材４は、第２素材５よりも剛性がはるかに大きいので、先裏２が広範囲に伸縮せず、第２素材５の領域、すなわち中足指節関節位置６の領域で伸縮するのみである。
【符号の説明】
【００２５】
１  アウトドアシューズ
２  先裏
３  表面素材（又は上面素材）
４  第１素材
５  第２素材
６  中足指節関節（ちゅうそくしせつかんせつ）位置
７  先芯（爪革）
８  縫目
９  ソール
１０  靴紐
１１  タン（舌革）
【図１】
2015164519.tif 000003
【図２】
2015164519.tif 000004
【図３】
2015164519.tif 000005
【図４】
2015164519.tif 000006
【外国語明細書】
2015164519000001.pdf